(57)【要約】  多機能バルブ装置（１）は、湿気および飽和蒸気を排除するために建築構造物内の差圧を調整し、建物外構の凹部に設置される。装置（１）は、外部と連通するための第１の中空管（５）が設けられた第１のシーリング部（３）と、前記第１のシーリング部（３）に操作可能に連結され、格納式シート（９）および外部の大気中に連通するための第２の中空管（１３）を備えることを特徴とする第２のシーリング部（７）と、前記第１のシーリング部（３）と接触して、前記第１の中空管（５）を閉じるとき、閉位置をとるように構成され、前記第１のシーリング部（３）と接触せずに、前記第１の中空管（５）および前記第２の中空管（１３）を連通するとき、開位置となるように構成される少なくとも１つの開閉部（１１、１１’、１５）と、を有する。【選択図】図１
2015505354.tif 000002
【特許請求の範囲】
【請求項１】
外部と連通するための第１の中空管（５）が設けられた第１のシーリング部（３）と、
前記第１のシーリング部（３）に操作可能に連結され、格納式シート（９）および外部に連通するための第２の中空管（１３）を備えることを特徴とする第２のシーリング部（７）と、
前記第１のシーリング部（３）と接触して、前記第１の中空管（５）を閉じるとき、閉位置をとるように構成され、前記第１のシーリング部（３）と接触せずに前記第１の中空管（５）および前記第２の中空管（１３）を連通するとき、開位置となるように構成される、少なくとも１つの開閉部（１１、１１’、１５）と、を有し、
建築構造物内の差圧を調整し、建物外構の凹部に設置されることを特徴とする、湿気および飽和蒸気を排除するための多機能バルブ装置（１）。
【請求項２】
前記開閉部（１１、１１’、１５）は、少なくとも１つのボール状部材（１１）を有する、請求項１に記載の装置（１）。
【請求項３】
前記開閉部（１１、１１’、１５）は、少なくとも１つの中央環状拡張部（１２）が設けられた少なくとも１つの細長い円筒形部材（１１’）を有することを特徴とする、請求項１に記載の装置（１）。
【請求項４】
前記開閉部（１１、１１’、１５）は、開閉にベンチュリ効果を利用するために前記第１の中空管（５）、前記シート（９）、前記第２の中空管（１３）の順に徐々に増加する長手方向の断面に少なくとも１つの小さな穴（１５）を有することを特徴とする、請求項１に記載の装置（１）。
【請求項５】
前記開閉部（１１、１１’、１５）は、清浄水、軟水、海水、流水、雨水および残留炭化水素に対して耐性を備えるために、フェノール樹脂によって形成され、またはニトリルゴムによってコーティングされることを特徴とする、請求項１に記載の装置（１）。
【請求項６】
電圧を減少させるために外部プラントに接続された自己発熱フィラメントを備えたカプセルをさらに有し、
前記自己発熱フィラメントによって加熱される枠組みに収納されることを特徴とする、請求項１に記載の装置（１）。
【発明の詳細な説明】
【技術分野】
【０００１】
本発明は、建築構造物の湿気および飽和蒸気を排除するための多機能バルブ装置に関する。当該装置（従来のものも含む）は、熱コーティングで被覆し、ドアや窓に使用する複数の熱音響カバーの適用制限なしに、従来の建物の壁や構造の内部の凝結のリスクを回避し、あるいは、様々なタイプのフレーム、窓、ドア、熱ケーソンと遮熱コーティングを集積することができる。
【発明の概要】
【０００２】
ボール型シャッターを有するチェックバルブは、水力学で知られているにも関わらず、一般的に建築業界において使用されておらず、知られていない。構造がシンプルで複雑なメカニズムもないので、水平方向および垂直方向のいずれに配置されてもこのようなタイプのバルブは、非常に信頼性が高い。
【０００３】
その動作原理は、バルブ本体内部の「ボール」の自由移動および（通過する流体の温度が強い変動を受けないように）断熱材を有するバルブ本体の特定の設計に基づく。さらに、ボール駆動および送出管の設計は、あらゆるタイプの蒸気、湿気および水の排出の阻害を防止するために、目詰まりや凹凸のない完全に開いた通路を保証する。
【０００４】
形成された障害物がない通路による負荷損失は非常に低い。バルブボールは、低慣性を有するので、チェックバルブの開放圧力は、例えば、クラップ型のような公知のバルブの約半分であり、管開口位置は、ばねや他の機械的手段を用いずに得られる。
【０００５】
完全なシールおよび静音閉鎖の両方を得るために、ボールはフェノール樹脂によって形成され、またはニトリルゴムによってコーティングされ、清浄水、軟水、海水、流水、雨水および残留炭化水素に対して耐性を有する。バルブの徹底的な概念の簡素化により、バルブを極めて長寿命にし、メンテナンスを不要にする。
【０００６】
周知のように、基礎、壁、床、屋根、ドア、窓およびフレームのようなすべてのパーティション内の温度調節機能を備えた高い性能特性と同時に優れた通気性を有する構造建造物外構の実現することは、世界中の民間人や産業界で常に注目されている問題である。
【０００７】
もう一つの非常に重要な問題は、再建および短時間での修復を可能とするためにドアや窓などを組み込む構造である。
【０００８】
本発明の目的は、水分および飽和蒸気の排除のための多機能バルブ装置を提供することであり、輸送および設置だけでなく経時的な機能性をも容易にするために軽量の断熱材を有する。
【０００９】
本発明に係る水分および飽和蒸気を排除するための多機能バルブ装置は、所定の建設的特徴によって、経時的な信頼性および安全性の最高保証基準を確保することができる。
【００１０】
本発明のバルブ装置は、例えば、木材、アルミニウム、鋼等から形成される様々なタイプの窓やドアのフレーム、または様々な材料から形成されるコネクタ／スペーサに限定されることなく、一般的にれんがや他の従来の材料で作られ、熱コーティングで被覆された建物外構（外部断熱複合システム）の空洞に、様々な建築の分野で広く適用することが可能である。
【００１１】
上述したように、本発明の装置は、従来、未解決の問題として知られる、いわゆる「シックハウス症候群」を解消するために、頑丈で、中空のあらゆる構造物に生成される水分、飽和蒸気、および間質凝結を排除する機能を有する。
【００１２】
本発明のバルブ装置は、筐体の概念に基づき、統合または従属して適用された複数のバルブの多機能によって、建物の操作を調整し、機能性を特徴とし、複雑なエネルギーシステムと湿度の動的で相互作用的な要素のように、非常に不利な場合や如何なる天気においても排他的で快適な生活を提供する。
【００１３】
このような装置における法規制の参考文献として、２００３年６月１日、ＵＮＩ  ＥＮ  ＩＳＯ１３７８８：２００３、部品や建築部材の温度・湿度性能、臨界表面湿度および間質凝結を回避するための内部表面温度の算定方法がある。
【００１４】
本発明の装置の動作をより理解するために、対抗する性質について以下に説明する。特に、建物の壁および／または建築構造物の様々なパーティション内における凝結の形成に関して、建物外構の性能を維持するために主要な要件は、凝結の形成および蓄積の危険性を回避することであり、建築部材の持続性と完全性を有するため、熱の影響および構造劣化の両方の点においてリスクが非常に低い。
【００１５】
凝結には、室内空気の相対湿度が高い値に達することによって壁の内側に影響し、壁の表面に結露を形成することによる表面に生じる凝結と、壁の内部が露点条件に達するような温度や圧力になった場合に間質に生じる凝結との２つのタイプがある。
【００１６】
壁および／または建物の構造的な原因による凝結の被害は、壁の断熱性が水分によって低減することによる壁の性能の低下、およびこれらの壁や建築物で囲まれた生活の質と部屋の快適さの低下がある。
【００１７】
壁の表面の外観は、石膏ボードや漆喰などのような壁の仕上げコートの内側および外側に結果としてカビや白華が生じるという被害を受ける。
【００１８】
各壁の内側における凝結形成の検証は、グレーサー図を用いて、外部と内部の温度および湿度、個々の壁を構成する層に関する温度、並びに圧力および熱特性が分かれば、分圧曲線と飽和圧力に対する相対曲線を構築し、２曲線の交点の存在を確認することによる図式解法によって判定することができる。
【００１９】
交点がある場合、それらの点において、飽和状態に空気をもたらすような温度と圧力の条件を満たすことを示唆し、その結果、この点で凝結が起こるので、本発明の多機能バルブ装置を使用することによって有利で排他的な問題を確実に解決することができる。
【００２０】
凝結液は、後述のように形成される。環境中に含まれる空気は、浮遊する水蒸気の状態の水分を所定量含有する。空気中に含まれる水蒸気の含有量は、温度および圧力の２つの変数に依存する。
【００２１】
空気は、温度および圧力のそれぞれの値における最大水分含有量を含有することができ、限界に達すると空気が飽和状態になることを意味する。この飽和状態において、最大水分含有量の限界値を超えた水蒸気量の各増分によって、凝結液の状態となった水蒸気の沈殿物を有するので、外に水分や飽和蒸気を排除するために本発明に係る多機能のバルブ装置を適用することが明らかに必要であることを示唆する。
【００２２】
定圧条件の下で、大気中に含有することのできる水蒸気量は、気温の上昇に伴って増加することが明らかになっている。そのため、温度が低いほど、大気中に含有することのできる蒸気量は少なくなる。
【００２３】
通常の条件下では大気は飽和しないが、大気が飽和する条件に対応する値よりも低い、所定量の水蒸気（ｇ／ｋｇ）を含有する。大気中に含有される水蒸気量と飽和水蒸気量との関係は、「相対湿度」と呼ばれ、絶対湿度のパーセンテージで表現される。大気中の相対湿度の値が８０％場合は、その温度で含有することができる最大水蒸気量の８０％を含有することを示す。所定の相対湿度の下で、温度が飽和値に達するまで低下した場合には、蒸気が気体から液体（凝結）となり、沈殿を生じ、結露を外部へ排除するために本発明の装置の使用が必要となる。
【００２４】
「露点」または「露点温度」は、凝結して水を形成する大気中の温度を示す。従来の考察によれば、温度と圧力の２つの変数の一方を一定と仮定する、例えば、温度を変化させることによって自然に圧力が発生し、その逆の場合もまた同様である（すなわち温度を一定に保ち、圧力を変化させる）。したがって、「分圧」の定義は、所定の温度における大気中に含有する蒸気の圧力の値であり、「飽和圧力」の定義は、所定の温度における大気が飽和状態のときに対する圧力の値である。相対湿度は、相対圧力および飽和圧力の比率で表し、パーセンテージ表される。
【００２５】
【数１】
2015505354.tif 000003
【００２６】
壁および／または建物構造のパーティションの凝結性の検証は、好ましくは、いわゆるグレーサー法を用いて行われる。壁の低い位置のコーナーに形成され、建物の表面に広がる結露形成の現象は、建物外構の室内空気の相対湿度が高い値に達したときに形成され、壁の内面および／または水平なパーティション内に結露を形成する条件を決定する。結露は、壁を構成する層内などの壁の内側にも影響を与え、水蒸気の凝結や他のマイナスの状態を誘発する温度と圧力の条件を引き起こすため、水蒸気を排除する本発明に係る装置の使用が必要となる。
【００２７】
環境中の水蒸気は、蒸気圧が高い領域から低い領域へ移動する傾向があるのに対し、異なる温度および圧力で２つの環境の場所を仕切る壁を蒸気の流れが透過し、壁の様々な層を通過する際に明らかな抵抗に直面する。この抵抗は、壁の厚さおよび壁を構成する材料の不透過性の特性に直接的に比例するので、「蒸気の透過に対する抵抗係数Ｄ」と呼ばれ、同じ温度および同じ圧力における大気中と比較して特定の材料の水蒸気に対する抵抗値を表す。
【００２８】
凝結現象を研究するために有用な他のパラメータは、「伝導性蒸気バリア係数」や「透過性」であり、圧力差によって面積１平方メートルあたりの壁の厚さを透過する蒸気量Ｍ（ｋｇ）で表される。
【００２９】
蒸気の移動や透過性に対する耐性の係数は、多くの建築材料の特性であり、材料自体の密度に関係している。それらは、欧州ＡＳＴＭインターナショナルに記載された適切な表から取得することができる。壁の凝結の検証のための工程は、壁および／または建物構造を構成する層の材料特性および物理的パラメータに関するパラメータに関連づけることによって図を得る、グレーサーと呼ばれる手順を取る。グレーサー図によって、同一の透過性の特性に応じて、層の厚さや壁を構成する材料の選択や壁の寸法を決定することができる。必要になる壁の各層の湿度パラメータは、各層内温度、各層の分圧、様々な温度における飽和圧力および各層の水蒸気に対する耐性である。
【００３０】
これらのパラメータが明らかになれば、飽和圧力の曲線と分圧の曲線から成る相対的な図が構築される。壁の様々な層内の飽和圧力の曲線と、分圧の曲線とを比較すると、以下の場合がある。
【００３１】
２つの曲線が交点を有する場合は、凝結の危険性はない。
【００３２】
２つの曲線が接点を有する場合は、その点において凝結形成の条件および結露の外観を引き起こす単調な温度の低下や相対的な圧力の上昇が確認されたことを意味し、この場合は、水分を排除するために本発明の装置を使用することが必要であることが明らかである。
【００３３】
２つの曲線が多くの交点を有する場合は、石積みの部分を表す交差領域の始点と終点との間の区間は、凝結の形成がある可能性があり、水分を排除するために本発明の装置を使用する必要がある。
【００３４】
湿気が浸透し、上述した効果を形成するのは別の理由がある。正しい介在を実行し、湿気を排除するために本発明の装置を用いて恒久的にかつ有利に解決すべき問題を確認することは重要である。
【００３５】
図１は、本発明の装置の適用部位を示している。図２で使用する符号の説明を以下に示す。
【００３６】
2015505354.tif 000004
【００３７】
2015505354.tif 000005
（水平な）断熱材が存在しないか、従来の多孔質建築材料の不良品がキャピラリー網を介して重力に反して地面からの湿気を吸収する場合は、必要な量の湿気の排除のために本発明の装置を適用することが不可欠な状況である。
【００３８】
2015505354.tif 000006
各石膏は、乾燥させた後、壁構造の所定量の（水分を吸着する）吸湿性の塩だけでなく、それとは無関係な塩（例えば、地面の塩分）も有する。連続キャピラリーの水分発生のため、これらの塩は、壁および石膏や塗装に蒸発領域に落ち着くまで地面に析出している。壁の内側の乾燥後、石膏や塗装には、空気中の水分の所定量を吸収することができる塩基が残るので、壁の内側を乾燥することが可能であるが、その石膏や塗料に湿った塩が過剰に残ったままであり、ここでは外部への本発明の水分排除装置の統合が不可欠となる。
【００３９】
2015505354.tif 000007
当然のことながら、湿った壁を乾燥させる目的は、壁からすべての水分を除去することではない。壁を完全に乾燥させることは不可能であり、むしろ快適さに反する。有利には、本発明の装置は、快適性を確保するために、自然な形で余分な水分を排除しながら環境の気候を微調整する。各種の石材およびすべての種類の建築材料は、自然な残留水分を有する。状況に応じて、家の温度と使用状況によって達する最適な残留水分がある。この問題は、非常に重要でデリケートであり、オーストリアやドイツなど一部の国は、特定の区域それぞれにおいて様々な湿度レベルに達すべきことが規定されている特定の基準が発布され、実際には、有利に水分を排除するための本発明の装置は、厳格にすべての法律に適合している。
【００４０】
例えば、古典的なレンガ造りの建物は、その重量の２５％が水（建物ブロックの１立方メートル当たり約５００リットルの水）で構成されている場合に、完全に飽和している、例えば、完全に湿った状態であるといえる。これはレンガを１００％としたときの水分量である。したがって、最大残留水分は、レンガの重量の５％（２５％から２０％を引いて５％）が水から構成されるときに得られる。また、レンガに水分を排除するための本発明の装置に統合することによって、有利に余分な水分の排除を提供し、蒸発させることができる。
【００４１】
2015505354.tif 000008
垂直断熱材の損傷や欠陥の下では（例えば、通常地面に接触している地下室の外壁）、壁全体を透過するまで、水分がキャピラリーを通って横方向に浸透することがある。この状況は、頻繁に壁で湿度浸透が起こり、本発明の多機能バルブ装置しようすることでより効率的に余分な水分を排除することができる。家や建物の構造（の内側および側面側）を完全に乾燥するためには、ダンピング水分を正確に測定するために正確な計算により得られた適切な数量が配置された本発明に係る様々な装置を有利に使用することが必要である。
【００４２】
2015505354.tif 000009
斜面や一時的に高い場所から流れた土壌中の水は石材に圧力を与え、浸透する。それが壁の内側にある場合には、水はキャピラリーシステム（静水圧）を通って上方に押し上げられる。このような状況下では、湿気を排除するための本発明の装置を適用することが必要である。
【００４３】
2015505354.tif 000010
雨は、外壁（コンクリートスラブ、道路など）に近い平面に跳ね、底部を打つ。このような状況下では、湿気を排除するための本発明の装置を適用することが明らかに必要である。
【００４４】
2015505354.tif 000011
水分は、雨水の浸入に対する保護の欠如または不十分（屋根や屋根材の損傷、不十分な暖炉の密封、屋根の表面の保護材の欠如、煙突の未使用、屋根の排水の欠如など）、および／またはパイプラインの損傷（雨樋の損傷や詰まり、排水溝やパイプの詰まり、パイプの損傷など）により引き起こされる。このような状況下では、湿気を排除するための本発明の装置を適用することが不可欠である。
【００４５】
2015505354.tif 000012
雨が壁に直接落下する場合は、水分が防水性のない石膏または漆喰が塗られていない壁に浸透する。このような状況下では、湿気を排除するための本発明の装置を適用することが不可欠である。
【００４６】
2015505354.tif 000013
降水によって形成される表面の水は、地面や建物の壁の間の隙間に自由に浸透することができるので、地下に位置する（例えば、地下室の）壁はしばしば非常に湿った状態になる。このような状況下では、湿気を排除するための本発明の装置を適用することが不可欠である。
【００４７】
2015505354.tif 000014
湿気はレンガやコンクリートブロックなどのような従来の材料で普通に構築された場合に建物の壁や建築構造物に「取り込まれて」残留する水分である。この水分は約１年半から３年以上かけて徐々に蒸発する。近年の漆喰の壁には、材料と石膏の厚さによって１年または２年の間に漆喰の比湿が自然蒸発するものもある。石膏壁の乾燥の完全な工程およびそれに代わる工程は、それぞれ２つのケースにおいて長時間を要することが報告されている。短時間で建築構造物を湿潤前の状態にするために、湿気の排除および蒸発のための本発明の装置を適用することが不可欠な状況である。
【００４８】
2015505354.tif 000015
レンガ、コンクリートブロックの特定の電磁場、静電的および／または他の性質やそのものの本質によって、壁のキャピラリー内湿度が高まることがある。基本的に、下記の２種類の擾乱がある。
【００４９】
地質要因は、下層土内の水の供給源の存在、急な流れの地下水路、地殻変動による破壊などによって形成される。
【００５０】
技術的阻害要因である送信機は、テレビ、ラジオ、レーダー、携帯電話または（特定の予防措置がこれらの波を減らすことができるように、いわゆる「電気スモッグ」を生産する）他のタイプの送信機、（パイプなどの）電気導体または絶縁金属、または単離されていない避雷針の支持体によって引き起こされる。
【００５１】
この場合であっても、多機能バルブ装置の本発明は、水分の排出および蒸気拡散において基本的な役割を果たす。
【００５２】
2015505354.tif 000016
2015505354.tif 000017
【００５３】
2015505354.tif 000018
異なる建築材料は、異なる化学的特性および品質を有する。例えば、弱酸性の古い壁と（ｐＨ値が異なる）強アルカリ性のセメントプラスターである。これらの効果は、他の湿気を吸着するおよび／または高湿度を維持する壁の電気的な化学変化を引き起こす。錆びた材料（鋼パイプ、鉄のフレームなど）は、壁の湿気に対して同様の効果を有する。壁の完全な乾燥は、湿気を排除するための本発明の装置を適用することが不可欠な状況のみ可能である。
【００５４】
湿気上昇の侵入を防止する特定のサイクルがある。古い建物の壁は、多くの場合、土台から最上部まで水分の侵入を受けやすい。この現象の原因は、水分を吸収したり、湿気を上昇させるためにその水分を拡散したりする材料の性質有する多孔性の建築材料である。
【００５５】
石造建築における水の作用によって、非常に多くの壁に湿気を点の形状で出現させ、建物への悪影響を及ぼす水溶性食塩の白華、レンガ造りの壁の脆化、材料接合と石膏の白亜化、塗装壁画の一部の剥離や脱離、壁のスポンジ化の進展、建築に使用される木製部分のかびや微生物の増殖など有害な結果を引き起こす。
【００５６】
湿気上昇の現象に対処するための最も効果的な方法は、水分と蒸気の排除のために、本発明に係る装置を使用することである。
【００５７】
本発明の装置は、本質的に自然の重力や好ましくは加圧下で下方向に傾く石造建築の穴に注入する工程を有する。
【００５８】
建築構造物中の水蒸気の凝結の問題は、構造物の表面上で起こるかどうかや、構造物内で起こるかどうかによって、２つの危険性がある。１つは、建物の保存に関するものであり、もう１つは、健康への影響に関するものである。
【００５９】
それらの現象の特性によって、かびの発生に遭遇したり石膏や石積みの崩壊を見たりすることは稀である。比較的近年では、熱損失を含有する必要性は、機械的換気の無い状況下で優れた気密性を有するフレームを使用し、大気中に存在する湿気に起因する調査中の問題の付随的な負担を結果として生じる自然換気の著しい減少をもたらす。
【００６０】
煙の排出の管に接続していないフィルターをかけたキッチンのフードで、そのキッチンが家具の組み合わせ自由であることの利点とは対照的に、非常に広範囲に料理に使用された結果、環境中に大量の水蒸気が生じるという欠点がある。
【００６１】
不十分な絶縁構造の典型的な性質（熱橋）である結露の形成は、絶縁層の配置が残りの層の浸透率に対して誤った配置がされている場合は、十分に単離された構造の存在下でも起こりうる。
【００６２】
水の浸透によるもの、例えば、激しい雨による地面からのキャピラリーの上昇や水道管の破裂などと凝結を混同しないようにしなければならない。
【００６３】
上述のように、現象を取り扱うのは複雑であり、その現象の解明はそれを決定する要因の正確な理解に依存する。
【００６４】
本発明の装置は、排他的に有利に窓および／または石積みのフレーム内に挿入され、前述の問題を解決し、後述する特徴的な形状のおかげでエネルギーを消費することなく完全な通気性を可能としている。
【００６５】
乾燥した空気と水蒸気の混合物の取り扱いから分かるように、同一の分圧が飽和圧力に達すると、温度（凝結温度または露点）の後者の機能として、同じ温度では水蒸気の含有量が高いほど相対湿度が高くなるので、結露のリスクも大きくなる（結露が適度な周囲の冷却空気の存在下であっても発生する可能性がある）。
【００６６】
凝結液が発生するかどうかを検証するために、壁の表面および／または内部の温度が相対凝結温度よりも高いこと（例えば、蒸気の分圧が飽和圧力よりも大きいこと）を常に確認しなければならない。所定の場合において、物理現象の分析は、固体中の気体（水蒸気）の分子拡散に関連し、フィックの法則によって表すことができる。水蒸気を理想気体として単純化すると、固体中に拡散する水蒸気の流れは、温度および密度の変化（または、他の条件として、空気中の水蒸気の濃度の変化）によって起こる圧力勾配によって表わすことができる。この問題の取り扱いは、熱伝達を物理的な観点から分析した場合と非常に似ている。成分を特徴付ける新たな物理パラメータは、水蒸気透過性または拡散率であり、単位圧力差によって、材料の単位厚さおよび単位時間当たりに通過する水蒸気の量を表す係数である。
【００６７】
多くの文献によれば、水蒸気の流れに対する抵抗値は、材料の水蒸気の流れに対する抵抗値と同じ厚さの空気における水蒸気の拡散に対する抵抗値に等しいと仮定する場合における基準値との比であり、パラメータμを用いて無次元形で表される。ここで、空気の場合は、μ＝１である。
【００６８】
例えば、石膏が欠落したれんが造りの壁の抵抗値は、μ＝１０である場合、試験材料の透過率１０はであり、空気よりも小さいことを意味する。計算が非常にシンプルであり、測定単位でのエラーを生じるリスクが低いので、上述のμ値を使用することは、非常に小さい透過率の値を取り扱う際に便利である。
【００６９】
水蒸気の通路の表面抵抗に関しては、他の建築部材によって与えられる抵抗と比較して完全に無視できる程度に保持することができるので、部材の内外表面上の水蒸気の分圧は、空気との接触面の水蒸気の分圧に等しいと仮定する。
【００７０】
圧力差を形成するときに水蒸気の流れが起こり、流れの方向は高温環境から低温環境へ移動し（高圧に最初に反応し、次に高い水蒸気量に反応する）、一般的には、夏と冬のいずれにおいても内部から外部環境へ移動する。
【００７１】
一般的には、内部結露は壁で均質に起こらないが、多層ではない。特に、高温環境に面する層は、水蒸気が豊富にあるとき高い熱伝導率を有する。この場合、水蒸気の分圧ＰＶは、適度な飽和圧力ＰＳの値に応じて（低い熱抵抗のために）比較的低い温度に位置する壁の領域で高い値に達する。従って、これらの領域は、結露（ＰＶ−ＰＳ）のリスクが高いと考えられる。
【００７２】
低温側（熱コート外部断熱材）に向かって絶縁層を設けることによって、温度を上昇させ、次いで飽和圧力を上昇させることによって問題に対処することができる。このような状況下では、湿気を排除するために本発明の装置を適用することが不可欠である。
【００７３】
結露のリスクを評価するために、フィックの法則によって凝結する蒸気量を分析してもよいし、グレーサー図を利用して図式的に問題を解決してもよい。グレーサー図は、構造内部の温度の傾向だけでなく、飽和圧力に対応する値も表す。後者と分圧の値とを比較して、凝結の危険性を避けるために、本発明に係る装置を適用するか否かを決定することができる。
【００７４】
上記以外の本発明の他の目的および利点は、下記の説明から明らかになるように、建築構造物の湿気および飽和蒸気を排除するための通気性は、請求項１に記載のような多機能バルブ装置を用いて達成される。本発明の好ましい実施形態および自明でない変形例は、従属請求項に記載される。
【００７５】
添付したすべての特許請求の範囲は、本明細書の不可欠な部分によって構成される。
【００７６】
本発明は、以下の図面を参照して、例示であり、かつ、限定を意味することのない複数の好ましい実施形態を通じて、より好適に説明される。
【図面の簡単な説明】
【００７７】
【図１】図１は、本発明に係る装置を設置した状態を示す部分側面図である。
【図２】図２は、本発明に係る装置を適用可能な領域を概略的に示す図である。
【図３】図３は、本発明に係る装置の第１実施形態の断面側面図および分解斜視図である。
【図４】図４は、本発明に係る装置の第１実施形態の断面側面図および分解斜視図である。
【図５】図５は、本発明に係る装置の第２実施形態の断面側面図および分解斜視図である。
【図６】図６は、本発明に係る装置の第２実施形態の断面側面図および分解斜視図である。
【図７】図７は、本発明に係る装置の第３実施形態の断面側面図および分解斜視図である。
【図８】図８は、本発明に係る装置の第３実施形態の断面側面図および分解斜視図である。
【図９】図９は、他の好ましい実施形態を示す図であるが、本発明に係るバルブの実施形態およびその適用を限定するものではない。
【図１０】図１０は、他の好ましい実施形態を示す図であるが、本発明に係るバルブの実施形態およびその適用を限定するものではない。
【図１１】図１１は、他の好ましい実施形態を示す図であるが、本発明に係るバルブの実施形態およびその適用を限定するものではない。
【図１２】図１２は、他の好ましい実施形態を示す図であるが、本発明に係るバルブの実施形態およびその適用を限定するものではない。
【図１３】図１３は、他の好ましい実施形態を示す図であるが、本発明に係るバルブの実施形態およびその適用を限定するものではない。
【００７８】
図１および図３−８には、本発明に係る建築構造物の湿気および飽和蒸気を排除するための多機能バルブ装置の様々な好ましい実施形態が示されているが、これに限定されない。添付の特許請求の範囲に示す本発明の範囲から逸脱することなく、（例えば、同等の機能を有する、形状、大きさ、配置および部品の）様々な変形および変更が可能であることは明らかである。
【００７９】
図示するように、装置１は、管２の内部に存在する差圧を利用することで、多機能バルブによってすべてのパーティション内の建築構造物のドアや窓などの構成要素の湿気および飽和蒸気を排除する。
【００８０】
この目的のために、装置１は、基本的に、装置１の外部の大気と連通するための第１の中空管５が設けられた第１のシーリング部３と、第１のシーリング部３に操作可能に連結され、格納式シート９が設けられ、装置１の外部の大気中に連通するための第２の中空管１３をさらに有することを特徴とする第２のシーリング部７および第１のシーリング部３と接触して（図１）、第１の中空管５を閉じるとき、装置１の閉位置をとるように構成され、第１のシーリング部３と接触せずに（図３および図４）、第１の中空管５および第２の中空管１３を連通するとき、装置１の開位置になるように構成され、建物構造内の圧力によって開閉部１１、１１’、１５を開く推進力が引き起こされるとき、装置１の外部の大気中の湿気および飽和蒸気を取り込む、少なくとも１つの開閉部１１、１１’、１５と、を有する。
【００８１】
特に、開閉部１１、１１’、１５は、好ましくは少なくとも１つのボール状部材１１（図１、図３および図４）、または少なくとも１つの中央環状拡張部１２（図５および図６）が設けられた少なくとも１つの細長い円筒形部材１１’を有することができるが、これに限定されるものではない。
【００８２】
好ましい第３の実施形態によれば、これに限定されるものではないが、図７および図８に示すように、開閉部１１、１１’、１５は、装置１の開閉にベンチュリ効果を利用するために第１の中空管５、シート９、第２の中空管１３の順に徐々に増加する長手方向の断面に少なくとも１つの小さな穴１５（好ましくは図示するような複数の小さな穴１５）を有する。この場合、実際には、高圧下でのみ装置１が開部として機能するときと同じように水分および飽和蒸気を含む空気の流れが穴１５による入口の抵抗を乗り越えて通過することができる。圧力が十分に高くない場合、入口の小さな断面は、本発明の装置１が実質的に閉部として機能して、空気の流出を防止する。
【００８３】
図示されていない変形例によれば、本発明の装置１は、電圧を減少させるために外部プラントに接続され、装置１が収納された枠組みを加熱する、自己発熱フィラメントを備えたカプセルをさらに有することができる。
【００８４】
さらに、本発明の多機能バルブ装置１は、すべての製造された建築製品、例えばフレーム、ドア、窓、レンガ、ＩＣＦコネクタおよび／またはスペーサおよび建物外構全体を蒸散させるのに不可欠な部品すべてに個々に適用することができる。
【図１】
2015505354.tif 000019
【図２】
2015505354.tif 000020
【図３】
2015505354.tif 000021
【図４】
2015505354.tif 000022
【図５】
2015505354.tif 000023
【図６】
2015505354.tif 000024
【図７】
2015505354.tif 000025
【図８】
2015505354.tif 000026
【図９】
2015505354.tif 000027
【図１０】
2015505354.tif 000028
【図１１】
2015505354.tif 000029
【図１２】
2015505354.tif 000030
【図１３】
2015505354.tif 000031
【国際調査報告】
2015505354.tif 000032
2015505354.tif 000033
2015505354.tif 000034